(57)【要約】【課題】筆記具のグリップ部材を別途軸筒に装着する工程を省略すると共に、使用時の手指の油分による膨潤変形や劣化を防止でき、構造的に柔軟性を持たせることによって使用時の把持感触を良好にする。【解決手段】熱可塑性樹脂材によって成形される筆記具の軸筒のグリップ軸部と、該グリップ軸部にエラストマー樹脂を用いて２色成形により一体成型されるグリップ部材とからなり、該グリップ部材は外周円筒部と、該外周円筒部から一体的に内方に延びる多数のリブとから構成され、該外周円筒部と多数のリブと上記２色成形により一体化される軸筒部のグリップ軸部とによって多数の筒状空室が形成されていることを特徴とする。【選択図】      図１
2005014340.tif 000002
【特許請求の範囲】
【請求項１】
筆記具の軸筒におけるグリップ部分の構造であって、熱可塑性樹脂材によって成形される軸筒のグリップ軸部と、該グリップ軸部にエラストマー樹脂を用いて２色成形により一体成型されるグリップ部材とからなり、該グリップ部材は外周円筒部と、該外周円筒部から一体的に内方に延びる多数のリブとから構成され、該外周円筒部と多数のリブと上記２色成形により一体化される軸筒部のグリップ軸部とによって多数の筒状空室が形成されていることを特徴とするグリップ部分構造。
【請求項２】
上記リブ及び筒状空室は夫々８個である請求項１記載のグリップ部分構造。
【請求項３】
上記軸筒は、グリップ軸部を有する軸筒前部と筆記具の繰り出し機構を内蔵する軸筒後部とが別体に成型されていることを特徴とする請求項１又は２記載のグリップ構造。
【請求項４】
上記軸筒は、グリップ軸部を有する軸筒前部と筆記具の繰り出し機構を内蔵する軸筒後部が一体に成型されていることを特徴とする請求項１又は２記載のグリップ構造。
【請求項５】
熱可塑性樹脂を用いてグリップ軸部を有する筆記具の軸筒を成型し、続いて該グリップ軸部に対し、エラストマー樹脂を用いて２色成形法によってグリップ部材を一体的に成型する筆記具のグリップ部分の成型方法であって、該グリップ部材は外周円筒部と多数のリブからなり、該リブの内周端部と上記グリップ軸部とが一体的に成型されることを特徴とするグリップ部分の製造方法。
【請求項６】
上記軸筒を成形する樹脂はアクリル、ＡＳ又はポリスチレン樹脂のいずれかであり、上記グリップ部材を成形する樹脂はスチレン、ブタジエン共重合のエラストマー樹脂であることを特徴とする請求項５記載のグリップ部分の製造方法。
【請求項７】
上記軸筒を成形する樹脂はポリプロピレン又はポリエチレン系樹脂であり、上記グリップ部材を成形する樹脂はオレフィン系のエラストマー樹脂であることを特徴とする請求項５記載のグリップ部分の製造方法。
【発明の詳細な説明】
【０００１】
【発明が属する技術分野】
本発明はボールペン、シャープペンシル等の筆記具に係り、特に、そのグリップ部分の構造及び製造方法に関するものである。
【０００２】
【従来の技術】
従来周知の上記筆記具において、筆記の際に該筆記具の軸筒が滑らないようにし、指が痛くなるのを防ぎ、把持感触を良好にし、更に、筆記具のデザイン等を考慮したグリップ部分の改良が種々提案されている。このような従来例に係る公報を列挙すると、例えば特開２００２−３３７４９５、特開２００３−５４１７９、特開２００３−２５７８４等が知られている。
【０００３】
ところで、このような従来公知の筆記具においては、例えば特開２００２−３３７４９５の公報に記載された発明は筆記具のグリップ部材の構造に特徴を有するものであるが、その特徴的構造は、熱可塑性エラストラー又はゴム等のグリップ部材の内周面軸方向に無数の微細な（約２０μｍ〜４０μｍ）線条の凹凸部を設け、このようなグリップ部材を、別個に制作した筆記具の軸筒に取り付ける形式のものである。
【０００４】
しかしながら、この様な構成のグリップにあっては無数の線条の凹凸が非常に小さく、グリップ部材の軸筒への装着は比較的容易になされるけれども、グリップ部材の柔軟性に欠け、筆記時に指が痛くなるのを防ぐと言う本来の目的を十分に達成できない可能性があった。また、グリップ部材を別途成形した軸筒部に装着するために、その装着工程が可成り困難であるばかりでなく、グリップ部材に柔軟性を持たせるために上記無数の凹凸部の高さを高く（例えば４５μｍ以上に）すると、該凹凸部の痕跡が目立つと言う欠点が指摘されている。
【０００５】
一方、特開２００３−５４１７９に開示されたごとき筆記具によるときは、二色成形によって先ず軸筒部が成形される。この場合図７に示すように、グリップ部材を後に二次成形する部分を軸筒１の凹部２として一次成形し、そこに互いに略４分の１の円弧状で段違いとされた円周方向の複数のリブａ〜ａを、又は更に軸方向の複数のリブ（図示せず）を夫々設けると共に、その後熱可塑性エラストマー又はゴムによってグリップ部材を二次成形するものである。
【０００６】
このような構造の筆記具によれば、二次成形されたグリップ部材（図示せず）は一次成形による軸筒１のリブ部分ａと一体的に成形されるので、両者の間のズレやグリップ部材のねじれは解消されるけれども、グリップ部材の柔軟性はその材質のみに依存しており、筆記時の把持感触が無く、指の痛くなるのを防ぐ意味で不充分であった。
【０００７】
更に、特開２００３−２５７８４に記載されたごとき筆記具及びそのグリップ筒の製造方法によれば、筒状のグリップ筒自体を二色成形又はインサート成形し、その基質部を硬質材料により形成し、その基質部の内外側面に軟質弾性部を形成している。
このため、グリップ部材自体の成形が複雑になるばかりでなく、グリップ部材は全体的に変形し難いためにその装着が困難であり、しかも、グリップ部材表面の柔軟性は材質のみによって決定されるため、グリップ部の強度と柔軟性又は使用時の「しっくり感」が出せないと言う欠点があった。
【０００８】
【発明が解決しようとする課題】
本発明は、上記のような従来技術の問題点を解消し、グリップ部材を別途軸筒に装着する工程を省略すると共に、使用時の手指の油分による膨潤変形や劣化を防止でき、構造的に柔軟性を持たせることによって使用時の把持感触を良好にし、「しっくり感」を持たせた筆記具のグリップ部分構造及びその製造方法を提供するものである。
【０００９】
【課題を解決するための手段】
本発明の筆記具の軸筒におけるグリップ部分の構造は、熱可塑性樹脂材によって成形される軸筒のグリップ軸部と、該グリップ軸部にエラストマー樹脂を用いて２色成形により一体成型されるグリップ部材とからなり、該グリップ部材は外周円筒部と、該外周円筒部から一体的に内方に延びる多数のリブとから構成され、該外周円筒部と多数のリブと上記２色成形により一体化される軸筒部のグリップ軸部とによって多数の筒状空室が形成されていることを特徴とするものである。そして、上記リブ及び筒状空室は夫々８個とするのが最適であり、上記軸筒は、グリップ軸部を有する軸筒前部と筆記具の繰り出し機構を内蔵する軸筒後部とが別体に成型されるもの、及び一体に成型されるものを含んでいる。
本発明のグリップ部分の製造方法は、熱可塑性樹脂を用いてグリップ軸部を有する筆記具の軸筒を成型し、続いて該グリップ軸部に対し、エラストマー樹脂を用いて２色成形法によってグリップ部材を一体的に成型する筆記具のグリップ部分の成型方法であって、該グリップ部材は外周円筒部と多数のリブからなり、該リブの内周端部と上記グリップ軸部と一体的に成型されることを特徴とするものである。
また、上記軸筒を成形する樹脂をアクリル、ＡＳ又はポリスチレン樹脂のいずれかとする場合に、上記グリップ部材を成形する樹脂はスチレン、ブタジエン共重合のエラストマー樹脂とするものであり、上記軸筒を成形する樹脂はポリプロピレン又はポリエチレン系樹脂とする場合に、上記グリップ部材を成形する樹脂はオレフィン系のエラストマー樹脂であることを特徴とするものである。
【００１０】
【発明の実施の形態】
本発明に係る筆記具のグリップ部分構造及びその製造方法を図１〜図６により説明する。
図１は、例えばボールペン等の筆記具用グリップにおける軸筒と、該軸筒のグリップ部分に一体成形されるグリップ部材との、一部断面を含む側面図である。そして、該図１に示す実施例は、筆記具を構成する軸筒がその前部と後部に２分割された形式のものを示している。
【００１１】
図１に示すように、筆記具の軸筒の一部を構成する軸筒前部１は、筆記具全体から見て大凡そのグリップ部分を形成し、グリップ部材１０が後に一体として成形されるグリップ軸部２を有している。この実施例における軸筒前部１は後述するように、その後端に図示しない軸筒後部を連結するための外ネジ部３を有する軸連結部４を有し、該軸筒後部と前記グリップ部材１０との間を区画するフランジ５を有している。また、軸筒前部１の先端部には、やはり図示しない口先部をねじ止めするための外ネジ部６を有する口先部連結部７が設けられている。
【００１２】
図２、図３は、上述の図１に示す軸筒前部１における軸連結部４及び口先部連結部７の夫々の断面を示している。
すなわち、図２にその一部断面を示す外ネジ部３を有する軸連結部４は、軸筒前部１の後部に形成したフランジ５（図１参照）より後方に設けられ、例えば筆記体の繰り出し機構を収納する図示しない軸筒後部の内ネジと係合自在である。また、図３にその一部断面を示す外ネジ部６を有する軸筒前部１の先端部７は、やはり図示しない口先部の内ネジと係合自在である。
【００１３】
図４は、図１のＡ−Ａ断面を示しており、軸筒前部１のグリップ軸部２と、その外周に２色成形により形成されたグリップ部材１０とを示している。
図から明らかなようにグリップ部材１０は、外周円筒部１１と該円筒部１１の全長に渡って内側面より内方に夫々延びる複数のリブ１２〜１２から構成されており、該リブ１２はこの実施例において８個設けられている。従って、これらグリップ部材１０の円筒部１１と各リブ１２〜１２と、上述の軸筒前部１のグリップ軸部２の表面とによって８個の筒状空室１３〜１３が形成されることとなる。しかしながら、これらリブ１２〜１２及び空室１３〜１３の数は当然に任意である。
【００１４】
図５、図６は、本発明の他の実施例に係る筆記具の軸筒と、該軸筒のグリップ軸部に２色成形によって成形されたグリップ部材とを示している。
図５において明らかなように、この実施例における軸筒１は、前方のグリップ軸部２と後方の繰り出し機構等の収納部８とを一体に成形したものである。そして、該グリップ軸部２の軸径は収納部８の軸径よりも小さく、その段部９が上記第１の実施例におけるフランジ５の部分に対応すると共に、グリップ軸部２の外周にグリップ部材１０が成形される。なお、グリップ軸部２の先端は実施例１の場合と同様に、口先部の内ネジと係合する外ネジ部６を有する先端部７とされている。
【００１５】
図６は、図５のＢ−Ｂ断面を示しており、その形状は図４と略同様である。すなわち、上記図５又は該図６に示す軸筒１のグリップ軸部２に対して、その軸筒成形後に２色成形によってグリップ部材１０が成形されるけれども、該グリップ部材１０は図４の場合と略同様に、円筒部１１とその外周面から内方に延びる多数のリブ１２〜１２から形成され、該グリップ部材１０が軸筒１の特にグリップ軸部２と一体に成形されるものである。そして、該一体成型されたグリップ部材１０の多数のリブ１２〜１２によって空室１３〜１３が画製されるが、この場合もリブ１２の本数、従って空室１３の個数も任意である。
【００１６】
【実施の態様】
本発明の実施の態様を説明すると、グリップ軸部２を含む軸筒部１は、アクリル樹脂、ポリカーボネート、ポリプロピレン等の熱可塑性樹脂の射出成形によって製造される。その後、２色成形の成型法によって、スチレン、ブタジエン共重合のエラストマー樹脂、オレフィン系のエラストマー樹脂等を用いてグリップ部材１０を一体成形する。
【００１７】
この場合、一次成形品である軸筒部１にアクリル、ＡＳ、ポリスチレン系樹脂を用いた場合、２次側であるグリップ部材１０にはスチレン、ブタンジェン共重合のエラストマー樹脂を用いて一体成形すると、両者の接着面における密着性が向上する。
また、１次成形側にポリプロピレン、ポリエチレン系樹脂を用いた場合には、２次側に同系樹脂であるオレフィン系のエラストマー樹脂を使用すると効果的である。
【００１８】
図４又は図６における、軸筒１のグリップ軸部２及びこれと一体成形されるグリップ部材１０の各部分の寸法を例示すると次のようである。
例えば、筆記具がシャープペンシルである場合の軸筒は、その外径をφ１０．５とすることができ、少なくともグリップ部材１０の長さは３５．０ｍｍ程度である。そして、この様なグリップ部材１０の場合にグリップ軸部２の外形をφ４．４とすると、図４又は図６を参照して、グリップ部材１０の円筒部１１の厚さを１．０ｍｍ、リブ１２の長さを約１．１ｍｍ、同じくリブ１２の肉厚を０．６ｍｍとすることができる。
【００１９】
しかしながら、これら軸筒１自体の外径、長さ寸法等は筆記具の種類及び特徴的構成により決定されるものであり、その結果上記グリップ軸部２の外径も当然に変化し、それに伴ってグリップ部材の寸法等も変化する。
また、グリップ部材１０の特性も必要に応じて変更されるので、上記グリップ部材の種々の数値は単なる参考例にすぎないのものであって、この発明の本質を変更しない範囲で種々の態様を採ることができる。
【００２０】
【発明の効果】
上述のごとき本発明によると、筆記具の軸筒とグリップ部材とを２色成形によって一体成形するために、別途製作したグリップ部材を軸筒のグリップ軸凹部に装着する工程を省略できると共に、両者が一体成形により作成されるために密着性が極めて良くなり、回動、ズレ等を防止することが出来た。
【００２１】
また、グリップ部材に多数のリブを形成し、これを軸筒部と２色一体成形するために、グリップ部材を構造的に柔軟にすることができるのみならず、そのリブ部分と軸筒部分との密着性の向上によって、グリップ部材の材質の劣化、膨潤等による脱落、回動、収縮、グリップ内への汚れの侵入等を防止できる顕著な効果を奏するものである。
更に、上記２色一体成形を行う場合に、硬質材からなる軸筒部と軟質材からなるグリップ部材の材質を選択することにより、一体成形による両者の結合をより向上させることができ、把持感触をより良好にすることができた。
【図面の簡単な説明】
【図１】第１実施例に係る筆記具の軸筒前部の一部断面を含む側面図である。
【図２】軸筒後部との軸連結部の断面図である。
【図３】口先部連結部の断面図である。
【図４】図１のＡ−Ａ断面図である。
【図５】第２実施例に係る筆記具の軸筒全体の一部断面を含む側面図である。
【図６】図５のＢ−Ｂ断面図である。
【図７】従来例に係る筆記具の軸筒側面図である。
【符号の説明】
１  軸筒前部
２  グリップ軸部
３  外ネジ部
４  軸連結部
５  フランジ
６  外ネジ部
７  口先部連結部
８  収納部
９  段部
１０  グリップ部材
１１  円筒部
１２  リブ
１３  空室
【図１】
2005014340.tif 000003
【図２】
2005014340.tif 000004
【図３】
2005014340.tif 000005
【図４】
2005014340.tif 000006
【図５】
2005014340.tif 000007
【図６】
2005014340.tif 000008
【図７】
2005014340.tif 000009